【手続補正書】
【提出日】平成18年3月15日(2006.3.15)
【手続補正１】
【補正対象書類名】明細書
【補正対象項目名】発明の名称
【補正方法】変更
【補正の内容】
【発明の名称】医用画像生成装置、医用画像処理システム及び撮影条件の調整方法
【手続補正２】
【補正対象書類名】明細書
【補正対象項目名】特許請求の範囲
【補正方法】変更
【補正の内容】
【特許請求の範囲】
【請求項１】
患者を撮影する撮影手段を備え、当該撮影手段によって撮影された患者の画像に基づいて医用画像データを生成する医用画像生成装置において、
模擬病変が撮影された撮影条件調整のための基準画像であるファントム画像データを画像解析して画像特徴量を算出する画像解析手段と、
前記算出された画像特徴量に基づいて前記撮影手段における撮影条件を調整する撮影条件調整手段と、
を備えることを特徴とする医用画像生成装置。
【請求項２】
前記撮影手段は、放射線を照射して放射線画像を撮影し、
前記撮影条件調整手段は、前記撮影手段により照射される放射線量を、所定範囲内で調整することを特徴とする請求項１に記載の医用画像生成装置。
【請求項３】
前記撮影条件調整手段による撮影条件の調整結果を保存する保存手段を備えることを特徴とする請求項１又は２に記載の医用画像生成装置。
【請求項４】
前記保存手段に保存された撮影条件の調整結果の履歴を表示する表示手段を備え、
前記表示された撮影条件の調整結果の履歴のうち、指定された調整結果の撮影条件に設定可能であることを特徴とする請求項３に記載の医用画像生成装置。
【請求項５】
医用画像データに画像処理を施す画像処理手段と、
前記画像解析手段により算出された画像特徴量に基づいて前記画像処理手段における画像処理条件を調整する画像処理条件調整手段と、
を備えることを特徴とする請求項１〜４の何れか一項に記載の医用画像生成装置。
【請求項６】
前記画像処理手段による画像処理には、階調処理、周波数処理、ダイナミックレンジ圧縮処理が含まれることを特徴とする請求項５に記載の医用画像生成装置。
【請求項７】
医用画像データを出力する出力装置に接続し、当該出力装置に前記画像処理手段により画像処理された医用画像データを出力させることを特徴とする請求項５又は６に記載の医用画像生成装置。
【請求項８】
請求項１〜７の何れか一項に記載された医用画像生成装置と、医用画像データから画像特徴量を算出し、当該画像特徴量に基づいて異常陰影候補を検出する異常陰影候補検出手段を備えた異常陰影候補検出装置とが接続された医用画像処理システムであって、
前記異常陰影候補検出装置は、
前記医用画像生成装置の撮影条件調整手段による撮影条件の調整結果に基づいて、前記異常陰影候補検出手段における異常陰影候補の検出条件を調整する検出条件調整手段を備えることを特徴とする医用画像処理システム。
【請求項９】
前記医用画像生成装置の画像解析手段により算出される画像特徴量は、前記異常陰影候補検出手段により算出される画像特徴量と少なくとも１つ以上共通していることを特徴とする請求項８に記載の医用画像処理システム。
【請求項１０】
前記検出条件調整手段は、前記画像解析手段により算出された画像特徴量のうち、異常陰影候補の検出時に算出される画像特徴量と共通する画像特徴量に基づいて、異常陰影候補の検出条件を調整することを特徴とする請求項９に記載の医用画像処理システム。
【請求項１１】
患者を撮影する撮影手段を備えた医用画像生成装置における撮影条件の調整方法において、
前記撮影手段により模擬病変が撮影された撮影条件調整のための基準画像であるファントムを撮影する撮影工程と、
前記撮影されたファントムの画像に基づいてファントム画像データを生成するデータ生成工程と、
前記ファントム画像データを画像解析して画像特徴量を算出する画像解析工程と、
前記算出された画像特徴量に基づいて前記撮影手段における撮影条件を調整する撮影条件調整工程と、
を含むことを特徴とする撮影条件の調整方法。
【請求項１２】
前記撮影工程では、放射線を照射して放射線画像を撮影し、
前記撮影条件調整工程では、前記撮影手段により照射される放射線量を、所定範囲内で調整することを特徴とする請求項１１に記載の撮影条件の調整方法。
【請求項１３】
前記撮影条件調整工程における撮影条件の調整結果を保存手段に保存する保存工程を含むことを特徴とする請求項１１又は１２に記載の撮影条件の調整方法。
【請求項１４】
前記保存手段に保存された撮影条件の調整結果の履歴を表示手段に表示する表示工程と、
前記表示された撮影条件の調整結果の履歴のうち、指定された調整結果の撮影条件を設定する設定工程と、
を含むことを特徴とする請求項１３に記載の撮影条件の調整方法。
【請求項１５】
前記データ生成工程において生成された医用画像データに画像処理手段により画像処理を施す画像処理工程と、
前記画像解析工程において算出された画像特徴量に基づいて前記画像処理手段における画像処理条件を調整する画像処理条件調整工程と、
を含むことを特徴とする請求項１１〜１４の何れか一項に記載の撮影条件の調整方法。
【請求項１６】
前記画像処理工程で施される画像処理には、階調処理、周波数処理、ダイナミックレンジ圧縮処理が含まれることを特徴とする請求項１５に記載の撮影条件の調整方法。
【請求項１７】
医用画像データを出力する出力装置により、前記画像処理工程で画像処理された医用画像データを出力する出力工程を含むことを特徴とする請求項１５又は１６に記載の撮影条件の調整方法。
【請求項１８】
医用画像データから画像特徴量を算出し、当該画像特徴量に基づいて異常陰影候補を検出する異常陰影候補検出手段における異常陰影候補の検出条件を、前記撮影条件調整工程における撮影条件の調整結果に基づいて調整する検出条件調整工程を含むことを特徴とする請求項１１〜１７の何れか一項に記載の撮影条件の調整方法。
【請求項１９】
前記画像解析工程において算出される画像特徴量は、前記異常陰影候補検出手段により算出される画像特徴量と少なくとも１つ以上共通していることを特徴とする請求項１８に記載の撮影条件の調整方法。
【請求項２０】
前記検出条件調整工程では、前記画像解析工程で算出された画像特徴量のうち、異常陰影候補の検出時に算出される画像特徴量と共通する画像特徴量に基づいて、異常陰影候補の検出条件を調整することを特徴とする請求項１９に記載の撮影条件の調整方法。
【手続補正３】
【補正対象書類名】明細書
【補正対象項目名】０００１
【補正方法】変更
【補正の内容】
【０００１】
【発明の属する技術分野】
本発明は、患者の医用画像データを生成する医用画像生成装置、生成された医用画像データを画像解析して異常陰影候補を検出する医用画像処理システム及び医用画像生成装置における撮影条件の調整方法に関する。
【手続補正４】
【補正対象書類名】明細書
【補正対象項目名】０００９
【補正方法】変更
【補正の内容】
【０００９】
【課題を解決するための手段】
請求項１に記載の発明は、
患者を撮影する撮影手段を備え、当該撮影手段によって撮影された患者の画像に基づいて医用画像データを生成する医用画像生成装置において、
模擬病変が撮影された撮影条件調整のための基準画像であるファントム画像データを画像解析して画像特徴量を算出する画像解析手段と、
前記算出された画像特徴量に基づいて前記撮影手段における撮影条件を調整する撮影条件調整手段と、
を備えることを特徴としている。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項１１に記載の発明は、
患者を撮影する撮影手段を備えた医用画像生成装置における撮影条件の調整方法において、
前記撮影手段により模擬病変が撮影された撮影条件調整のための基準画像であるファントムを撮影する撮影工程と、
前記撮影されたファントムの画像に基づいてファントム画像データを生成するデータ生成工程と、
前記ファントム画像データを画像解析して画像特徴量を算出する画像解析工程と、
前記算出された画像特徴量に基づいて前記撮影手段における撮影条件を調整する撮影条件調整工程と、
を含むことを特徴としている。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項１、１１に記載の発明によれば、調整の基準となるファントム画像を撮影し、当該ファントム画像から算出された画像特徴量に基づいて撮影条件を調整するので、医師の読影に最適な画質であり、かつ異常陰影候補検出装置による異常陰影候補の検出に最適な画質が得られるように撮影条件を設定することができる。また、医用画像生成装置毎又は画像毎の画質のばらつきを抑えることができる。
【手続補正９】
【補正対象書類名】明細書
【補正対象項目名】００１４
【補正方法】変更
【補正の内容】
【００１４】
請求項２に記載の発明は、請求項１に記載の医用画像生成装置において、
前記撮影手段は、放射線を照射して放射線画像を撮影し、
前記撮影条件調整手段は、前記撮影手段により照射される放射線量を、所定範囲内で調整することを特徴としている。
【手続補正１０】
【補正対象書類名】明細書
【補正対象項目名】００１５
【補正方法】変更
【補正の内容】
【００１５】
請求項１２に記載の発明は、請求項１１に記載の撮影条件の調整方法において、
前記撮影工程では、放射線を照射して放射線画像を撮影し、
前記撮影条件調整工程では、前記撮影手段により照射される放射線量を、所定範囲内で調整することを特徴としている。
【手続補正１１】
【補正対象書類名】明細書
【補正対象項目名】００１６
【補正方法】変更
【補正の内容】
【００１６】
請求項２、１２に記載の発明によれば、撮影手段により照射される放射線量を所定範囲内で調整するので、適切な範囲内で放射線照射を行うことができ、安全な撮影を行うことができる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
請求項３に記載の発明は、請求項１又は２に記載の医用画像生成装置において、
前記撮影条件調整手段による撮影条件の調整結果を保存する保存手段を備えることを特徴としている。
【手続補正１９】
【補正対象書類名】明細書
【補正対象項目名】００２４
【補正方法】変更
【補正の内容】
【００２４】
請求項１３に記載の発明は、請求項１１又は１２に記載の撮影条件の調整方法において、
前記撮影条件調整工程における撮影条件の調整結果を保存手段に保存する保存工程を含むことを特徴としている。
【手続補正２０】
【補正対象書類名】明細書
【補正対象項目名】００２５
【補正方法】変更
【補正の内容】
【００２５】
請求項３、１３に記載の発明によれば、撮影条件の調整結果を保存するので、後に調整結果を容易に確認することができるとともに、調整結果の履歴を保存し、当該履歴に基づいて最適な撮影条件を予測することが可能となる。
【手続補正２１】
【補正対象書類名】明細書
【補正対象項目名】００２６
【補正方法】変更
【補正の内容】
【００２６】
請求項４に記載の発明は、請求項３に記載の医用画像生成装置において、
前記保存手段に保存された撮影条件の調整結果の履歴を表示する表示手段を備え、
前記表示された撮影条件の調整結果の履歴のうち、指定された調整結果の撮影条件に設定可能であることを特徴としている。
【手続補正２２】
【補正対象書類名】明細書
【補正対象項目名】００２７
【補正方法】変更
【補正の内容】
【００２７】
請求項１４に記載の発明は、請求項１３に記載の撮影条件の調整方法において、
前記保存手段に保存された撮影条件の調整結果の履歴を表示手段に表示する表示工程と、
前記表示された撮影条件の調整結果の履歴のうち、指定された調整結果の撮影条件を設定する設定工程と、
を含むことを特徴としている。
【手続補正２３】
【補正対象書類名】明細書
【補正対象項目名】００２８
【補正方法】変更
【補正の内容】
【００２８】
請求項４、１４に記載の発明によれば、保存された撮影条件の調整結果の履歴のうち、指定された撮影条件を設定可能であるので、過去調整を行った撮影条件の中から最適な撮影条件を再度設定することができる。
【手続補正２４】
【補正対象書類名】明細書
【補正対象項目名】００２９
【補正方法】変更
【補正の内容】
【００２９】
請求項５に記載の発明は、請求項１〜４の何れか一項に記載の医用画像生成装置において、
医用画像データに画像処理を施す画像処理手段と、
前記画像解析手段により算出された画像特徴量に基づいて前記画像処理手段における画像処理条件を調整する画像処理条件調整手段と、
を備えることを特徴としている。
【手続補正２５】
【補正対象書類名】明細書
【補正対象項目名】００３０
【補正方法】変更
【補正の内容】
【００３０】
請求項６に記載の発明は、請求項５に記載の医用画像生成装置において、
前記画像処理手段による画像処理には、階調処理、周波数処理、ダイナミックレンジ圧縮処理が含まれることを特徴としている。
【手続補正２６】
【補正対象書類名】明細書
【補正対象項目名】００３１
【補正方法】変更
【補正の内容】
【００３１】
請求項１５に記載の発明は、請求項１１〜１４の何れか一項に記載の撮影条件の調整方法において、
前記データ生成工程において生成された医用画像データに画像処理手段により画像処理を施す画像処理工程と、
前記画像解析工程において算出された画像特徴量に基づいて前記画像処理手段における画像処理条件を調整する画像処理条件調整工程と、
を含むことを特徴としている。
【手続補正２７】
【補正対象書類名】明細書
【補正対象項目名】００３２
【補正方法】変更
【補正の内容】
【００３２】
請求項１６に記載の発明は、請求項１５に記載の撮影条件の調整方法において、
前記画像処理工程で施される画像処理には、階調処理、周波数処理、ダイナミックレンジ圧縮処理が含まれることを特徴としている。
【手続補正２８】
【補正対象書類名】明細書
【補正対象項目名】００３３
【補正方法】変更
【補正の内容】
【００３３】
請求項５、６、１５、１６に記載の発明によれば、撮影条件の調整時に算出された画像特徴量を用いて、階調処理、周波数処理、ダイナミックレンジ処理などの画像処理条件を調整するので、医師の読影に最適な画質かつ異常陰影候補検出に最適な画質を両立する撮影条件で撮影された医用画像が、さらに医師の読影に最適な画質となるように画像処理条件を設定することができる。
【手続補正２９】
【補正対象書類名】明細書
【補正対象項目名】００３４
【補正方法】変更
【補正の内容】
【００３４】
請求項７に記載の発明は、請求項５又は６に記載の医用画像生成装置において、
医用画像データを出力する出力装置に接続し、当該出力装置に前記画像処理手段により画像処理された医用画像データを出力させることを特徴としている。
【手続補正３０】
【補正対象書類名】明細書
【補正対象項目名】００３５
【補正方法】変更
【補正の内容】
【００３５】
請求項１７に記載の発明は、請求項１５又は１６に記載の撮影条件の調整方法において、
医用画像データを出力する出力装置により、前記画像処理工程で画像処理された医用画像データを出力する出力工程を含むことを特徴としている。
【手続補正３１】
【補正対象書類名】明細書
【補正対象項目名】００３６
【補正方法】変更
【補正の内容】
【００３６】
請求項７、１７に記載の発明によれば、医師の読影に最適な画質となるように画像処理が施された医用画像データを出力することができる。
【手続補正３２】
【補正対象書類名】明細書
【補正対象項目名】００３７
【補正方法】変更
【補正の内容】
【００３７】
請求項８に記載の発明は、
請求項１〜７の何れか一項に記載された医用画像生成装置と、医用画像データから画像特徴量を算出し、当該画像特徴量に基づいて異常陰影候補を検出する異常陰影候補検出手段を備えた異常陰影候補検出装置とが接続された医用画像処理システムであって、
前記異常陰影候補検出装置は、
前記医用画像生成装置の撮影条件調整手段による撮影条件の調整結果に基づいて、前記異常陰影候補検出手段における異常陰影候補の検出条件を調整する検出条件調整手段を備えることを特徴としている。
【手続補正３３】
【補正対象書類名】明細書
【補正対象項目名】００３８
【補正方法】変更
【補正の内容】
【００３８】
請求項１８に記載の発明は、請求項１１〜１７の何れか一項に記載の撮影条件の調整方法において、
医用画像データから画像特徴量を算出し、当該画像特徴量に基づいて異常陰影候補を検出する異常陰影候補検出手段における異常陰影候補の検出条件を、前記撮影条件調整工程における撮影条件の調整結果に基づいて調整する検出条件調整工程を含むことを特徴としている。
【手続補正３４】
【補正対象書類名】明細書
【補正対象項目名】００３９
【補正方法】変更
【補正の内容】
【００３９】
請求項８、１８に記載の発明によれば、撮影条件の調整結果に基づいて異常陰影候補の検出条件を調整するので、撮影環境が異なる場合でも、撮影画像の画質に応じて検出条件の最適化を図ることができ、安定した異常陰影候補の検出結果を得ることができる。
【手続補正３５】
【補正対象書類名】明細書
【補正対象項目名】００４０
【補正方法】変更
【補正の内容】
【００４０】
請求項９に記載の発明は、請求項８に記載の医用画像処理システムにおいて、
前記医用画像生成装置の画像解析手段により算出される画像特徴量は、前記異常陰影候補検出手段により算出される画像特徴量と少なくとも１つ以上共通していることを特徴としている。
【手続補正３６】
【補正対象書類名】明細書
【補正対象項目名】００４１
【補正方法】変更
【補正の内容】
【００４１】
請求項１０に記載の発明は、請求項９に記載の医用画像処理システムにおいて、
前記検出条件調整手段は、前記画像解析手段により算出された画像特徴量のうち、異常陰影候補の検出時に算出される画像特徴量と共通する画像特徴量に基づいて、異常陰影候補の検出条件を調整することを特徴としている。
【手続補正３７】
【補正対象書類名】明細書
【補正対象項目名】００４２
【補正方法】変更
【補正の内容】
【００４２】
請求項１９に記載の発明は、請求項１８に記載の撮影条件の調整方法において、
前記画像解析工程において算出される画像特徴量は、前記異常陰影候補検出手段により算出される画像特徴量と少なくとも１つ以上共通していることを特徴としている。
【手続補正３８】
【補正対象書類名】明細書
【補正対象項目名】００４３
【補正方法】変更
【補正の内容】
【００４３】
請求項２０に記載の発明は、請求項１９に記載の撮影条件の調整方法において、
前記検出条件調整工程では、前記画像解析工程で算出された画像特徴量のうち、異常陰影候補の検出時に算出される画像特徴量と共通する画像特徴量に基づいて、異常陰影候補の検出条件を調整することを特徴としている。
【手続補正３９】
【補正対象書類名】明細書
【補正対象項目名】００４４
【補正方法】変更
【補正の内容】
【００４４】
請求項９、１０、１９、２０に記載の発明によれば、撮影条件の調整時に算出された画像特徴量のうち、異常陰影候補の検出時に算出される画像特徴量と共通する画像特徴量を用いて検出条件の調整を行うので、異常陰影候補の検出に最適な調整を行うことができる。
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００５８
【補正方法】変更
【補正の内容】
【００５８】
画像データ生成手段１２は、輝尽性蛍光体層を形成した撮影パネル、励起光発生器、ＣＣＤ（Charge Coupled Device）等の光電変換素子、Ａ／Ｄ変換器等から構成される。画像データ生成手段１２は、被写体を透過した放射線を撮影パネルに吸収させ、この撮影パネルに励起光を照射して撮影パネル上を走査する。そして、撮影パネルから放射された蛍光を光電変換後してアナログ画像信号を生成し、さらにこのアナログ画像信号をＡ／Ｄ変換することによりデジタル画像データを生成する。生成した画像データは、記憶手段１３に出力する。
【手続補正４４】
【補正対象書類名】明細書
【補正対象項目名】００６０
【補正方法】変更
【補正の内容】
【００６０】
記憶手段１３は、磁気的、光学的記録媒体又は半導体メモリ等により構成され、画像データ生成手段１２により生成された画像データを記憶する。
【手続補正４５】
【補正対象書類名】明細書
【補正対象項目名】０１６７
【補正方法】変更
【補正の内容】
【０１６７】
【発明の効果】
請求項１、１１に記載の発明によれば、調整の基準となるファントム画像を撮影し、当該ファントム画像から算出された画像特徴量に基づいて撮影条件を調整するので、医師の読影に最適な画質であり、かつ異常陰影候補検出装置による異常陰影候補の検出に最適な画質が得られるように撮影条件を設定することができる。また、医用画像生成装置毎又は画像毎の画質のばらつきを抑えることができる。
【手続補正４６】
【補正対象書類名】明細書
【補正対象項目名】０１６８
【補正方法】変更
【補正の内容】
【０１６８】
請求項２、１２に記載の発明によれば、撮影手段により照射される放射線量を所定範囲内で調整するので、適切な範囲内で放射線照射を行うことができ、安全な撮影を行うことができる。
【手続補正４７】
【補正対象書類名】明細書
【補正対象項目名】０１６９
【補正方法】削除
【補正の内容】
【手続補正４８】
【補正対象書類名】明細書
【補正対象項目名】０１７０
【補正方法】削除
【補正の内容】
【手続補正４９】
【補正対象書類名】明細書
【補正対象項目名】０１７１
【補正方法】変更
【補正の内容】
【０１７１】
請求項３、１３に記載の発明によれば、撮影条件の調整結果を保存するので、後に調整結果を容易に確認することができるとともに、調整結果の履歴を保存し、当該履歴に基づいて最適な撮影条件を予測することが可能となる。
【手続補正５０】
【補正対象書類名】明細書
【補正対象項目名】０１７２
【補正方法】変更
【補正の内容】
【０１７２】
請求項４、１４に記載の発明によれば、保存された撮影条件の調整結果の履歴のうち、指定された撮影条件を設定可能であるので、過去調整を行った撮影条件の中から最適な撮影条件を再度設定することができる。
【手続補正５１】
【補正対象書類名】明細書
【補正対象項目名】０１７３
【補正方法】変更
【補正の内容】
【０１７３】
請求項５、６、１５、１６に記載の発明によれば、撮影条件の調整時に算出された画像特徴量を用いて、階調処理、周波数処理、ダイナミックレンジ処理などの画像処理条件を調整するので、医師の読影に最適な画質かつ異常陰影候補検出に最適な画質を両立する撮影条件で撮影された医用画像が、さらに医師の読影に最適な画質となるように画像処理条件を設定することができる。
【手続補正５２】
【補正対象書類名】明細書
【補正対象項目名】０１７４
【補正方法】変更
【補正の内容】
【０１７４】
請求項７、１７に記載の発明によれば、医師の読影に最適な画質となるように画像処理が施された医用画像データを出力することができる。
【手続補正５３】
【補正対象書類名】明細書
【補正対象項目名】０１７５
【補正方法】変更
【補正の内容】
【０１７５】
請求項８、１８に記載の発明によれば、撮影条件の調整結果に基づいて異常陰影候補の検出条件を調整するので、撮影環境が異なる場合でも、撮影画像の画質に応じて検出条件の最適化を図ることができ、安定した異常陰影候補の検出結果を得ることができる。
【手続補正５４】
【補正対象書類名】明細書
【補正対象項目名】０１７６
【補正方法】変更
【補正の内容】
【０１７６】
請求項９、１０、１９、２０に記載の発明によれば、撮影条件の調整時に算出された画像特徴量のうち、異常陰影候補の検出時に算出される画像特徴量と共通する画像特徴量を用いて検出条件の調整を行うので、異常陰影候補の検出に最適な調整を行うことができる。
【手続補正５５】
【補正対象書類名】明細書
【補正対象項目名】０１７７
【補正方法】削除
【補正の内容】